(57)【要約】  【課題】  レール状下地材及び吊り部材との連結構成に合理的な改良工夫を施すことにより、スペーサを用いることなく、あらゆる施工角度の斜め天井を容易かつ確実、強固に吊下げ固定支持できる天井パネルの吊下げ支持構造を提供する。【解決手段】  天井パネル１を固定支持するレール状下地材５が、それらの垂直面板部６ｂ，６ｂ同士を背中合わせに配置した二つのＣ形鋼６，６から構成され、このレール状下地材５における二つのＣ形鋼６，６の背中合わせ垂直面板部６ｂ、６ｂ間に吊り部材７の下端部を挟み込み、その挟み込み箇所に六角ボルト１０を貫通させることによりレール状下地材５と吊り部材７とをボルト軸心周りで相対揺動可能に枢支連結している。  【選択図】      図１
2009035910.tif 000002
【特許請求の範囲】
【請求項１】
天井パネル固定支持用のレール状下地材と、天井位置より上部の構造体から垂下されてその下端部が前記レール状下地材の長手方向の複数個所に連結される複数の吊り部材とにより、建造物の天井位置に配設される天井パネルを吊下げ固定支持する天井パネルの吊下げ支持構造であって、
前記レール状下地材が、少なくとも天井パネルの固定支持面板部とこの面板部に対して垂直な面板部を有し、その垂直面板部同士を互いに背中合わせに配置させた二つの形鋼から構成されており、このレール状下地材を構成する二つの形鋼の背中あわせの垂直面板部間に前記各吊り部材の下端部を挟み込み、その挟み込んだ各吊り部材の下端部及び前記二つの形鋼の垂直面板部に軸部材を貫通させて前記レール状下地材と各吊り部材とを前記軸部材の軸心周りで相対揺動可能に枢支連結していることを特徴とする天井パネルの吊下げ支持構造。
【請求項２】
前記軸部材が、頭付きボルトであり、この頭付きボルトとこれに螺合されたナットを介して前記レール状下地材と各吊り部材とがボルト軸心周りで相対揺動可能かつ締付け固定可能に連結されている請求項１に記載の天井パネルの吊下げ支持構造。
【請求項３】
前記レール状下地材を構成する二つの形鋼として、Ｃ形鋼が用いられている請求項１または２に記載の天井パネルの吊下げ支持構造。
【請求項４】
天井パネル固定支持用のレール状下地材と、天井位置より上部の構造体から垂下されてその下端部が前記レール状下地材の長手方向の複数個所に連結される複数の吊り部材とにより、建造物の天井位置に配設される天井パネルを吊り下げ固定支持する天井パネルの吊下げ支持施工法であって、
少なくとも天井パネルの固定支持面板部とこの面板部に対して垂直な面板部を有し、その垂直面板部同士を互いに背中合わせに配置させた二つの形鋼から構成されたレール状下地材における二つの形鋼の背中あわせの垂直面板部間に前記各吊り部材の下端部を挟み込み、その挟み込んだ各吊り部材の下端部及び前記二つの形鋼の垂直面板部に貫通させた軸部材の軸心周りで前記レール状下地材と各吊り部材とを相対揺動させて前記レール状下地材を所定の角度に調整した後、そのレール状下地材の固定支持面板部に天井パネルを固定することを特徴とする天井パネルの吊下げ支持施工法。
【発明の詳細な説明】
【技術分野】
【０００１】
本発明は、断熱サンドイッチパネル等の天井パネルを、例えば支柱間に架設される構造梁などの天井位置より上部の構造体に吊下げて固定支持させる天井パネルの吊下げ支持構造及びその施工法に関する。詳しくは、天井パネル固定支持用のレール状下地材と、天井位置より上部の構造体から垂下されてその下端部が前記レール状下地材の長手方向の複数個所に連結される複数の吊りボルトなどの吊り部材とにより、建造物の天井位置に配設される天井パネルを吊下げ固定支持する天井パネルの吊下げ支持構造及びその施工法に関する。
【背景技術】
【０００２】
従来一般には、図４に示すような天井パネルの吊下げ支持構造が採用されていた。この従来一般の天井パネルの吊下げ支持構造は、隣接する天井パネル１，１の端部を、これら天井パネル１，１に対し下方から上方へ向けて貫通するドリルねじ２，２を介して固定支持するための水平面板部２１ａ，２１ａを左右両側に跳ね出した略ハット形のレール状下地材２１と、天井位置より上部の例えば構造梁から垂下されてその下端部が前記レール状下地材２１の上面板部２１ｂに上下一対の六角ナット２２，２３により締付け固定される複数本の吊りボルト（吊り部材）２４とにより、建造物の天井位置に配設された前記天井パネル１，１を吊下げ固定支持するという基本構成を有している。なお、図４中の３は隣接する天井パネル１，１の端部間に形成される目地隙間４を隠蔽化するための化粧カバーである。
【０００３】
また、上記した従来一般の吊下げ支持構造とは、天井パネル固定支持用のレール状下地材の形状、特に天井パネルの支持形態が異なるものの、レール状下地材の上端部に形成した断面視Ｕ字形状の突条内にターンバックル式の吊り部材の下端部を抜け止め状態に嵌め込むとともに、角ナット及び六角ナットの締付けにより吊り部材をレール状下地材に固定連結するという構成を有する天井パネルの吊下げ支持構造が提案されている。（例えば、特許文献１参照）。
【０００４】
【特許文献１】特開２００１−２００６１０号公報
【発明の開示】
【発明が解決しようとする課題】
【０００５】
ところで、図４に示すような従来一般の天井パネルの吊下げ支持構造において、天井パネル１，１を水平面に沿う状態に施工する場合は、レール状下地材２１が水平に位置し、かつ、吊りボルト２４の軸心が垂直に位置するといった具合に、レール状下地材２１の上面板部２１ｂと吊りボルト２４の軸心が互いに直交姿勢となるために、吊りボルト２４に六角ナット２２，２３を締め込むことにより、レール状下地材２１の上面板部２１ｂと六角ナット２２，２３の締付面との間にガタツキや締付け不全の原因となる隙間を生じることなく、確実、強固な締付け固定状態が得られるものの、美観性の向上や施主の要望等に対応して天井パネル１，１を図５に示すように、水平面に対して任意角度θだけ斜めに傾けて、いわゆる、斜め天井を施工する場合は、レール状下地材２１の上面板部２１ｂと吊りボルト２４の軸心とが直交姿勢とならないために、単に六角ナット２２，２３を締付け固定しただけでは上面板部２１ｂと六角ナット２２，２３の締付面との間に隙間が生じ、それが原因で振動などによってレール状下地材２１及び天井パネル１，１にガタツキが発生するなど不安定な吊下げ支持の状態になるおそれがある。
【０００６】
そのような吊下げ支持状態の不安定さを解消するために、六角ナット２２，２３とレール状下地材２１の上面板部２１ｂとの間に前記施工角度θに相当する斜面付きのスペーサ（周知であるため、図示は省略する）を介在させることにより、六角ナット２２，２３による締付け固定を隙間なく確実、強固にする手段が従来より講じられていたが、この場合は、天井パネル１，１の種々の施工角度θに対応して多数の斜面付きスペーサを準備しなければならないだけでなく、施工現場で非常に小さいスペーサを取り扱って所定箇所に介在させるという面倒な作業も必要であり、それだけ施工コストも上昇しやすいという問題がある。
【０００７】
加えて、前記施工角度θには許容範囲内で多少のばらつきが生じることは避けられず、そのようなばらつきに対しては施工現場で調整するといった現場合わせが必要となるが、斜面付きのスペーサではばらつきに対する現場合わせの融通性がなく、その結果、隙間やガタツキなど不安定な吊下げ支持状態の発生を確実に解消することができないという問題があった。
【０００８】
また、上記のような問題は、図４に示すような従来一般の天井パネルの吊下げ支持構造に限らず、特許文献１で提案されているような構成の天井パネルの吊下げ支持構造においても同様に発生する問題である。
【０００９】
本発明は上記の実情に鑑みてなされたもので、レール状下地材及び吊り部材との連結構成に合理的な改良工夫を施すことにより、スペーサは一切使用しないで、あらゆる施工角度の斜め天井でも容易かつ確実、強固に吊下げ固定することができる天井パネルの吊下げ支持構造及びその施工法を提供することを目的としている。
【課題を解決するための手段】
【００１０】
上記目的を達成するために案出された本発明の請求項１に係る天井パネルの吊下げ支持構造は、天井パネル固定支持用のレール状下地材と、天井位置より上部の構造体から垂下されてその下端部が前記レール状下地材の長手方向の複数個所に連結される複数の吊り部材とにより、建造物の天井位置に配設される天井パネルを吊下げ固定支持する天井パネルの吊下げ支持構造であって、前記レール状下地材が、少なくとも天井パネルの固定支持面板部とこの面板部に対して垂直な面板部を有し、その垂直面板部同士を互いに背中合わせに配置させた二つの形鋼から構成されており、このレール状下地材を構成する二つの形鋼の背中あわせの垂直面板部間に前記各吊り部材の下端部を挟み込み、その挟み込んだ各吊り部材の下端部及び前記二つの形鋼の垂直面板部に軸部材を貫通させて前記レール状下地材と各吊り部材とを前記軸部材の軸心周りで相対揺動可能に枢支連結していることを特徴としている。
【００１１】
また、上記と同様な目的を達成するために案出された本発明の請求項４に係る天井パネルの吊下げ支持施工法は、天井パネル固定支持用のレール状下地材と、天井位置より上部の構造体から垂下されてその下端部が前記レール状下地材の長手方向の複数個所に連結される複数の吊り部材とにより、建造物の天井位置に配設される天井パネルを吊り下げ固定支持する天井パネルの吊下げ支持施工法であって、少なくとも天井パネルの固定支持面板部とこの面板部に対して垂直な面板部を有し、その垂直面板部同士を互いに背中合わせに配置させた二つの形鋼から構成されたレール状下地材における二つの形鋼の背中あわせの垂直面板部間に前記各吊り部材の下端部を挟み込み、その挟み込んだ各吊り部材の下端部及び前記二つの形鋼の垂直面板部に貫通させた軸部材の軸心周りで前記レール状下地材と各吊り部材とを相対揺動させて前記レール状下地材を所定の角度に調整した後、そのレール状下地材の固定支持面板部に天井パネルを固定することを特徴としている。
【発明の効果】
【００１２】
上記のような特徴構成及び特徴的技術手段を有する本発明によれば、天井パネルが水平面に対して傾いた、いわゆる、斜め天井を施工する場合、レール状下地材と各吊り部材とを前記軸部材の軸心周りで相対揺動させるといった極く簡単な現場作業を行うだけで、レール状下地材を吊り部材に対して任意の所望角度に調整して、あらゆる角度の斜め天井を容易かつ確実に施工することができる。しかも、種々の施工角度に対応できるように多数の斜面付きスペーサを準備する必要もなければ、施工現場で小さくて取扱いにくい斜面付きスペーサを用いる必要もないので、材料コストを含めた施工コストの低減が図れるとともに、面倒かつ複雑な作業も不要で、施工能率の著しい向上を達成できるという効果を奏する。
【００１３】
本発明の請求項１に係る天井パネルの吊下げ支持構造において、前記レール状下地材と各吊り部材とを相対揺動可能に枢支連結する前記軸部材としては、単なるピン状の軸部材を抜け止め状態にして用いてもよいが、特に、請求項２に記載のように、頭付きボルトをとこれに螺合されたナットを介して前記レール状下地材と各吊り部材とを相対揺動可能かつ締付け固定可能に連結する構成とすることが望ましい。
【００１４】
この場合は、既述したような施工要領によってレール状下地材を任意の所望角度に調整した後、頭付きボルト、ナットを介してレール状下地材と各吊り部材とを強固に締付け固定することが可能であり、これによって、天井施工後に振動を受けた場合でも、レール状下地材の角度が不測に変化されることを確実に防ぎ、所定の斜め天井を安定よく確保することができる。
【００１５】
また、本発明の請求項１に係る天井パネルの吊下げ支持構造において、前記レール状下地材を構成する二つの形鋼としては、互いに直交する二つの面板部を有するアン
【００１６】
この場合は、レール状下地材の構造強度を十分に高く確保できるとともに、吊り部材を長いスパーン間隔で取り付ける場合でも天井下地としての強度低下を招くことなく、容易に対応させることができる。
【発明を実施するための最良の形態】
【００１７】
以下、本発明の実施の形態を図面にもとづいて説明する。
図１は本発明に係る天井パネルの吊下げ支持構造を示す要部の拡大縦断正面図、図２はその側面図であり、これら両図において、符号１を付した天井パネル、符号２を付したドリルねじ、符号３を付した化粧カバー、符号４を付した目地隙間は、図４及び図５で示す従来構造で説明したものと同一のものが用いられており、それら以外の構成部材については以下に説明するようなものが使用されている。
【００１８】
５はレール状下地材で、このレール状下地材５は、隣接する天井パネル１，１を下方から当接させてドリルねじ２，２を介して固定支持させるための水平な面板部６ａ，６ａとこの水平面板部６ａ，６ａに対して垂直な面板部６ｂ，６ｂ並びにこの垂直面板部６ｂ，６ｂの上端部から前記水平面板部６ａ，６ａに対向するように突出させた上部の水平面板部６ｃ，６ｃを有するＣ形鋼６，６の二つを、それぞれの垂直面板部６ｂ，６ｂ同士が互いに背中合わせになるように配置して構成されている。
【００１９】
また、７は天井位置より上部の例えば構造梁から垂下されて前記レール状下地材５の長手方向の複数個所（図面上では適当なスパーン間隔Ｌをおいた二箇所で示す）に連結される吊り部材で、この吊り部材７は、長尺ボルト８の下端部に長方形状の扁平板材９を溶接して略羽子板状に構成されている。
【００２０】
前記略羽子板状の吊り部材７の下端部である扁平板材９を、前記レール状下地材５を構成する二つのＣ形鋼６，６の背中合わせに配置された垂直面板部６ｂ，６ｂ間に挟み込むとともに、その挟み込んだ偏平板材９及び二つのＣ形鋼６，６の垂直面板部６ｂ，６ｂに軸部材のとなる六角ボルト１０を貫通させ、かつ、その六角ボルト１０の突出部分に六角ナット１１を螺合させることにより、前記レール状下地材５と各吊り部材７とを前記六角ボルト１０の軸心周りで相対揺動可能かつ締付け固定可能に枢支連結している。
【００２１】
上記のような天井パネルの吊下げ支持構造では、二つのＣ形鋼６，６から構成されるレール状下地材５と略羽子板状の吊り部材７とを六角ボルト１０の軸心周りで相対揺動可能に、かつ、六角ボルト１０と六角ナット１１を介して任意の相対揺動位置で締付け固定可能に構成されているので、天井パネル１，１が水平面に対して傾いた、いわゆる、斜め天井を施工するにあたって、構造梁など天井位置の上部から垂直姿勢で垂下されている吊り部材７に対してレール状下地材５を、六角ボルト１０の軸心周りで揺動させて任意の所望角度θに調整した後、六角ボルト１０と六角ナット１１を締付けて施工角度θを固定し、その後、レール状下地材５を構成する二つのＣ形鋼６，６の下部の水平面板部６ａ，６ａに天井パネル１，１を下方から当接させドリルねじ２，２を介して固定支持させ、さらに化粧カバー３を取り付けるといった極く簡単かつ工数の少ない現場作業を行うだけで、あらゆる角度の斜め天井を容易かつ確実に施工することができる。
【００２２】
また、このとき、種々の施工角度に対応できるように多数の斜面付きスペーサを予め作製準備する必要もなければ、施工現場において非常に小さい斜面付きスペーサを取り扱う必要もないので、材料コストを含めてトータル施工コストの低減が図れるとともに、現場作業の単純化、容易化により、施工能率の著しい向上を図ることができる。
【００２３】
なお、上記実施の形態では、レール状下地材５として、二つのＣ形鋼６，６の垂直面板部６ｂ，６ｂ同士を互いに背中合わせに配置して構成したものを使用したが、これに代えて、図３に示すように、水平面板部６ａ，６ａとこの水平面板部６ａ，６ａに対して垂直な面板部６ｂ，６ｂとを有する二つのアングル形鋼６´，６´をそれらの垂直面板部６ｂ，６ｂが背中合わせになるように配置した構成したものを使用してもない。
【００２４】
また、上記実施の形態では、前記レール状下地材５と各吊り部材７とを相対揺動可能に枢支連結する軸部材として、六角ボルト１０とこれに螺合された六角ナット１１を使用したが、これに代えて、単なるピン状の軸部材を抜け止め状態にした、いわゆる、支点軸を用いてもよい。
【図面の簡単な説明】
【００２５】
【図１】本発明に係る天井パネルの吊下げ支持構造の実施の形態を示す要部の拡大縦断正面図である。
【図２】図１の側面図である。
【図３】本発明に係る天井パネルの吊下げ支持構造の他の実施の形態を示す要部の拡大縦断正面図である。
【図４】従来一般に採用されている天井パネルの吊下げ支持構造を示す要部の拡大縦断正面図である。
【図５】図４の側面図である。
【符号の説明】
【００２６】
１，１  天井パネル
５  レール状下地材
６  Ｃ形鋼（形鋼の一例）
６´  アングル形鋼（形鋼の一例）
６ａ  水平面板部
６ｂ  垂直面板部
７  吊り部材
９  扁平板材（吊り部材の下端部）
１０  六角ボルト（軸部材の一例）
１１  六角ナット
θ  施工角度
【図１】
2009035910.tif 000003
【図２】
2009035910.tif 000004
【図３】
2009035910.tif 000005
【図４】
2009035910.tif 000006
【図５】
2009035910.tif 000007